(57)【要約】【課題】端末装置とサーバ装置との間でファイル共有を行う場合、事前にサーバ装置に対して端末装置の登録(ユーザ名、パスワードなど)が必要であるが、これを手動で入力するのは煩わしい。【解決手段】利用者により、端末装置の撮像手段で、サーバ装置の共有フォルダ情報を得た上で、その情報を含んだサーバ設定ファイルを端末装置で生成し、サーバ装置へ送信を行い、サーバ装置で、サーバ設定ファイルを実行することで、端末装置に対するアクセスを許可する共有フォルダを作成することにより、これを実現する。【選択図】図１
2011175406.tif 000002
【特許請求の範囲】
【請求項１】
サーバ装置の共有フォルダパスを撮影する撮像手段と、
前記撮像手段で撮影した画像から、情報を抽出する共有情報抽出手段と、
前記設定情報生成手段で生成した設定実行ファイルの設定情報を保存するメモリと、
前記メモリ内の端末固有情報からユーザ情報を生成するユーザ情報生成手段と、
前記共有情報抽出手段と、
前記ユーザ情報生成手段から得られた情報を基に、撮影したサーバ装置への設定実行ファイルを生成する設定情報生成手段と、
前記設定情報生成手段で生成した設定実行ファイルを、前記メモリ内の送信先情報に基づいてサーバ装置へ送信する第１の第１通信手段と、
端末装置とサーバ装置の間で通信を行う第１の第２通信手段と、
前記第１の第２通信手段を用いて、前記設定情報生成手段で生成した設定実行ファイルの設定情報を基に、サーバ装置に対してアクセスを行い、前記メモリ内の各種データファイルの送受信制御を行う第１の共有処理実行手段と、
前記メモリからカレントフォルダのパスを取得するカレントフォルダ取得手段と、
前記設定情報生成手段により生成された、設定実行ファイルの内容に対して、前記カレントフォルダ取得手段で得たカレントフォルダパスの対応付けを行う同期フォルダ対応付け手段と、
端末装置の動作を制御する第１の制御部と、
を具備する端末装置と、
前記サーバ装置のフォルダパスを表示する手段と、
前記第１の第１通信手段から送信された設定実行ファイルを受信する第２の第１通信手段と、
設定実行ファイルを実行し、自身に設定を反映する設定実行手段と、
サーバ装置と端末装置との間で通信を行う第２の第２通信手段と、
サーバ装置の動作を制御する第２の制御部と、
端末装置からのアクセスに対して、各種データファイルの送受信制御を行う第２の共有処理実行手段と、
を具備するサーバ装置と、
を具備するファイル共有システム。
【請求項２】
前記第１の制御部は、前記撮像手段により得られたサーバ装置の情報と、ユーザ情報生成手段から得られた端末情報から、サーバ設定実行ファイルを生成し、端末装置とサーバ装置とのファイル共有を行う、
ことを特徴とする請求項１記載のファイル共有システム。
【請求項３】
前記第１の制御部は、前記同期フォルダ対応付け手段により、対応付けた端末装置のカレントフォルダと、サーバ装置の共有フォルダに対して、フォルダ間のファイル同期を行う、
ことを特徴とする請求項１記載のファイル共有システム。
【請求項４】
サーバ装置の共有フォルダパスを撮影する撮像手段と、
前記撮像手段で撮影した画像から、情報を抽出する共有情報抽出手段と、
メモリ内の端末固有情報からユーザ情報を生成するユーザ情報生成手段と、
前記共有情報抽出手段と、前記ユーザ情報生成手段から得られた情報を基に、撮影したサーバ装置への設定実行ファイルを生成する設定情報生成手段と、
前記設定情報生成手段で生成した設定実行ファイルの設定情報を保存するメモリと、
前記設定情報生成手段で生成した設定実行ファイルを、メモリ内の送信先情報に基づいてサーバ装置へ送信する第１通信手段と、
端末装置とサーバ装置の間で通信を行う第２通信手段と、
前記第２通信手段を用いて、前記設定情報生成手段で生成した設定実行ファイルの設定情報を基に、サーバ装置に対してアクセスを行い、前記メモリ内の各種データファイルの送受信制御を行う共有処理実行手段と、
メモリからカレントフォルダのパスを取得するカレントフォルダ取得手段と、
前記設定情報生成手段により生成された、設定実行ファイルの内容に対して、前記カレントフォルダ取得手段で得たカレントフォルダパスの対応付けを行う同期フォルダ対応付け手段と、
端末装置の動作を制御する制御部と、
を具備する端末装置。
【請求項５】
サーバ装置の共有フォルダパスを表示する第１のステップと、
前記第１のステップで表示したサーバ装置の共有フォルダパスを撮影する第２のステップと、
前記第２のステップ実行時に、端末装置のカレントフォルダパスを取得する第３のステップと
前記第２のステップで撮影した画像から、フォルダパスを抽出する第４のステップと、
端末装置固有の情報から、ユーザＩＤ、パスワードなどを生成する、第５のステップと、第４のステップで得たフォルダパスと、第５のステップから得たユーザ情報から、サーバ設定実行ファイルを生成する第６のステップと、
前記第６のステップで生成した設定実行ファイルの設定情報を保存する第７のステップと、
前記第７のステップで生成した設定実行ファイルを、送信先情報にもとづいてサーバ装置へ送信する第８のステップと、
前記第８のステップで送信された設定ファイルを、受信する第９のステップと、
受信した設定ファイルを実行する第１０のステップと、
前記第３のステップで取得した端末装置側のフォルダ情報と、前記第７のステップで保存されたサーバ装置側のフォルダ情報との対応付けを行う第１１のステップと、
前記第１１のステップで対応付けを行った情報を保存する第１２のステップと、
前記第１２のステップで保存された情報をもとに、サーバ装置のフォルダと、端末装置の指定フォルダに対して、前記サーバ装置と前記端末装置の間で、各種データの送受信制御を行う第１３のステップと、
を具備し、
第６のステップで、端末装置の情報を含んだ、サーバ設定実行ファイルを生成する、
ことを特徴とするファイル共有設定方法。
【発明の詳細な説明】
【技術分野】
【０００１】
本発明は、ファイル共有システム、端末装置、及び、ファイル共有設定方法に関する。
【背景技術】
【０００２】
近年、パソコン、携帯電話、ＰＤＡ、オーディオ機器、カメラなどには、有線ＬＡＮ、無線ＬＡＮや、Ｂｌｕｅｔｏｏｔｈ（登録商標）といった通信機能が搭載されており、画像、音声、動画といったファイルの、相互での共有が行えるようになっている（特許文献１参照）。
【０００３】
サーバ装置と端末装置の間でファイル共有を行う場合、多くの場合、サーバ装置で共有を許可するフォルダを設定し、そのフォルダに対してアクセス権を与えることでファイル共有を実現している。
【０００４】
共有フォルダ以下のファイルは、アクセス権に応じて外部からの操作を行うことが可能となる。これを安全に行うためには、共有フォルダに対してアクセス可能な、ユーザを予め登録する(ユーザＩＤ、パスワードなどを登録する)必要がある (特許文献１参照)。
【０００５】
また、ファイル共有では無いが、無線ＬＡＮ子機を無線ＬＡＮアクセスポイントに登録するといったケースについて、子機の情報をバーコードなどで読み取り、登録を行う方法が提案されている（特許文献２参照）。
【先行技術文献】
【特許文献】
【０００６】
【特許文献１】特開２００２−１４９３０号公報
【特許文献２】特開２００７−２１５１２０号公報
【発明の概要】
【発明が解決しようとする課題】
【０００７】
しかしながら、前記従来の構成では、ファイル共有を行う場合にサーバ装置に対して、ユーザ登録を手動で入力し設定する必要があった。
【０００８】
また、バーコードなどによる登録では、ユーザ登録の手間は一部改善されるが、依然として、登録するユーザとサーバ装置側のフォルダ位置との対応付けを、別途行う必要があり煩わしい。
【０００９】
本発明は、かかる点に鑑みてなされたものであり、サーバ装置に対してユーザ登録を手動で行わずに自動で行うことができ、かつサーバ装置への共有フォルダ設定を、併せて行うことを目的とする。
【課題を解決するための手段】
【００１０】
本発明のファイル共有システムは、サーバ装置の共有フォルダパスを撮影する撮像手段と、前記撮像手段で撮影した画像から、情報を抽出する共有情報抽出手段と、前記設定情報生成手段で生成した設定実行ファイルの設定情報を保存するメモリと、前記メモリ内の端末固有情報からユーザ情報を生成するユーザ情報生成手段と、前記共有情報抽出手段と、前記ユーザ情報生成手段から得られた情報を基に、撮影したサーバ装置への設定実行ファイルを生成する設定情報生成手段と、前記設定情報生成手段で生成した設定実行ファイルを、前記メモリ内の送信先情報に基づいてサーバ装置へ送信する第１の第１通信手段と、端末装置とサーバ装置の間で通信を行う第１の第２通信手段と、前記第１の第２通信手段を用いて、前記設定情報生成手段で生成した設定実行ファイルの設定情報を基に、サーバ装置に対してアクセスを行い、前記メモリ内の各種データファイルの送受信制御を行う第１の共有処理実行手段と、前記メモリからカレントフォルダのパスを取得するカレントフォルダ取得手段と、前記設定情報生成手段により生成された、設定実行ファイルの内容に対して、前記カレントフォルダ取得手段で得たカレントフォルダパスの対応付けを行う同期フォルダ対応付け手段と、端末装置の動作を制御する第１の制御部とを具備する端末装置と、前記サーバ装置のフォルダパスを表示する手段と、前記第１の第１通信手段から送信された設定実行ファイルを受信する第２の第１通信手段と、設定実行ファイルを実行し、自身に設定を反映する設定実行手段と、サーバ装置と端末装置との間で通信を行う第２の第２通信手段と、サーバ装置の動作を制御する第２の制御部と、端末装置からのアクセスに対して、各種データファイルの送受信制御を行う第２の共有処理実行手段を具備するサーバ装置を具備する構成を採る。
【００１１】
本構成によれば、撮像手段により得られたサーバ装置の情報と、ユーザ情報生成手段から得られた端末装置の情報から、サーバ設定実行ファイルを生成し、サーバ装置で設定ファイルを実行することで、端末装置とサーバ装置とのファイル共有を行うことが出来る。
【００１２】
また、本構成によれば、同期フォルダ対応付け手段により、サーバ装置の共有フォルダに対応付けた端末装置のカレントフォルダとの間でファイル同期を行うことが出来る。
【００１３】
本発明の端末装置は、サーバ装置の共有フォルダパスを撮影する撮像手段と、前記撮像手段で撮影した画像から、情報を抽出する共有情報抽出手段と、メモリ内の端末固有情報からユーザ情報を生成するユーザ情報生成手段と、前記共有情報抽出手段と、前記ユーザ情報生成手段から得られた情報を基に、撮影したサーバ装置への設定実行ファイルを生成する設定情報生成手段と、前記設定情報生成手段で生成した設定実行ファイルの設定情報を保存するメモリと、前記設定情報生成手段で生成した設定実行ファイルを、メモリ内の送信先情報に基づいてサーバ装置へ送信する第１通信手段と、端末装置とサーバ装置の間で通信を行う第２通信手段と、前記第２通信手段を用いて、前記設定情報生成手段で生成した設定実行ファイルの設定情報を基に、サーバ装置に対してアクセスを行い、前記メモリ内の各種データファイルの送受信制御を行う共有処理実行手段と、メモリからカレントフォルダのパスを取得するカレントフォルダ取得手段と、前記設定情報生成手段により生成された、設定実行ファイルの内容に対して、前記カレントフォルダ取得手段で得たカレントフォルダパスの対応付けを行う同期フォルダ対応付け手段と、端末装置の動作を制御する制御部とを具備する構成を採る。
【００１４】
本構成によれば、撮像手段により得られたサーバ装置の情報と、ユーザ情報生成手段から得られた端末装置の情報から、サーバ設定実行ファイルを生成しサーバ装置に送信することができる。
【００１５】
本発明のファイル共有設定方法は、サーバ装置の共有フォルダパスを表示する第１のステップと、前記第１のステップで表示したサーバ装置の共有フォルダパスを撮影する第２のステップと、前記第２のステップ実行時に、端末装置のカレントフォルダパスを取得する第３のステップと、前記第２のステップで撮影した画像から、フォルダパスを抽出する第４のステップと、端末装置固有の情報から、ユーザＩＤ、パスワードなどを生成する、第５のステップと、第４のステップで得たフォルダパスと、第５のステップから得たユーザ情報から、サーバ設定実行ファイルを生成する第６のステップと、前記第６のステップで生成した設定実行ファイルの設定情報を保存する第７のステップと、前記第７のステップで生成した設定実行ファイルを、送信先情報にもとづいてサーバ装置へ送信する第８のステップと、前記第８のステップで送信された設定ファイルを、受信する第９のステップと、受信した設定ファイルを実行する第１０のステップと、前記第３のステップで取得した端末装置側のフォルダ情報と、前記第７のステップで保存されたサーバ装置側のフォルダ情報との対応付けを行う第１１のステップと、前記第１１のステップで対応付けを行った情報を保存する第１２のステップと、前記第１２のステップで保存された情報をもとに、サーバ装置のフォルダと、端末装置の指定フォルダに対して、前記サーバ装置と前記端末装置の間で、各種データの送受信制御を行う第１３のステップと、を具備し、第６のステップで、端末装置の情報を含んだ、サーバ設定実行ファイルを生成するようにした。
【００１６】
本方法によれば、第２のステップにより得られたサーバ装置の情報と、第５のステップから得られた端末装置の情報から、第６のステップによりサーバ設定実行ファイルを生成し、第１０のステップで設定ファイルを実行することで、端末装置とサーバ装置とのファイル共有を行うことができる。
【発明の効果】
【００１７】
本発明によれば、カメラ撮影により、サーバ装置に対してユーザ登録を手動で行わずに自動で行うことができ、かつサーバ装置への共有フォルダ設定を、併せて行うことが出来る。
【図面の簡単な説明】
【００１８】
【図１】本発明の実施の形態１に係るフォルダ共有の設定システムの構成図
【図２】本発明の実施の形態１に係るフォルダ共有の設定システムのシーケンス図
【図３】本発明の実施の形態２に係るフォルダ共有の設定システムの構成図
【図４】本発明の実施の形態２に係るフォルダ共有の設定システムのシーケンス図
【図５】本発明の実施の形態２に係る、端末装置の表示画面の説明図
【発明を実施するための形態】
【００１９】
以下、本発明の実施の形態について、図面を参照しながら説明する。なお、実施の形態を説明するための各図面において、同一の構成要素には同一符号を付与し、一部説明を省略する。
【００２０】
（実施の形態１）
図１は、本発明の実施の形態１に係るシステムの概略構成を示す図である。
【００２１】
端末装置１１は、撮像手段１１０、共有情報抽出手段１１１、設定情報生成手段１１２、第１通信手段１１３、メモリ１１４、ユーザ情報生成手段１１５、制御部１１６、共有処理実行手段１１７、第２通信手段１１８、を具備する。
【００２２】
撮像手段１１０は、後述のサーバ装置１２のフォルダパス表示手段１２２に表示されたフォルダパスを撮影する。
【００２３】
共有情報抽出手段１１１は、フォルダパスからテキスト情報を抽出する。
【００２４】
設定情報生成手段１１２は、サーバ装置１２の設定を行うための情報をメモリ１１４に保存する。
【００２５】
第１通信手段１１３は、サーバ装置１２へサーバ設定ファイルを送信する。
【００２６】
メモリ１１４は、各手段で生成された情報を保存する。
【００２７】
ユーザ情報生成手段１１５は、端末装置固有の情報などからユーザ情報を生成する。
【００２８】
制御部１１６は各手段の動作を制御する。
【００２９】
共有処理実行手段１１７は、端末装置１１とサーバ装置１２間のファイルの送受信の制御を行う。第２通信手段１１８により、端末装置１１、サーバ装置１２間のファイルの送受信を行う。
【００３０】
サーバ装置１２は、第１通信手段１２０、設定実行手段１２１、フォルダパス表示手段１２２、第２通信手段１２３、共有処理実行手段１２４、制御部１２５、メモリ１２６、を具備する。
【００３１】
第１通信手段１２０は、サーバ設定実行ファイルを受信する。
【００３２】
設定実行手段１２１は、サーバ設定実行ファイルを実行する。
【００３３】
フォルダパス表示手段１２２は、サーバ装置１２内の共有を許可するフォルダのパスを表示する。
【００３４】
第２通信手段１２３は、端末装置１１、サーバ装置１２間のファイルの送受信などを行う。
【００３５】
共有処理実行手段１２４は、設定情報に従いサーバ装置１２のフォルダに対して共有設定を行い、端末装置１１とサーバ装置１２間のファイルの送受信の制御を行う。
【００３６】
制御部１２５は、各手段の動作を制御する。メモリ１２６は、各手段で生成された情報を保存する。
【００３７】
図２は、本発明の実施の形態１に係るシステムのシーケンスを示す図である。
【００３８】
利用者のサーバ装置の操作により、サーバ装置のフォルダパス表示手段１２２に、サーバ装置内の共有を許可するフォルダのパスを表示させる（ステップ１：Ｓ１０１）。
【００３９】
利用者の操作により、端末装置の撮像手段１１０によって、サーバ装置のフォルダパス表示手段１２２に表示されたフォルダパスを撮影する（ステップ２：Ｓ１０２）。例えば、サーバ装置がパソコンであれば、フォルダパスは画面上に表示される、C:\share\tmp などのテキストデータである。画面上に表示されるフォルダパスとしては、バーコードや、２次元コードといった形に変換したものであってもよい。
【００４０】
共有情報抽出手段１１１によって、前記撮像手段１１０によって撮影された画像から、フォルダパスを抽出する（ステップ３：Ｓ１０３）。
【００４１】
ユーザ情報生成手段１１５は、端末装置のメモリ１１４内から端末装置の固有情報を読み出し、これから、ユーザＩＤ、パスワードを生成する（ステップ４：Ｓ１０４）。例えば、端末装置が携帯電話機であれば、ユーザ情報や、電話帳などに登録された、氏名、電話番号、メールアドレス、ＳＩＭカード番号、機器のシリアル番号などから適当なユーザＩＤ、パスワードを生成する。もちろん、この自動生成手段を使わず、ユーザＩＤ、パスワードを利用者の入力により行ってもよい。
【００４２】
設定情報生成手段１１２では、前記共有情報抽出手段１１１で抽出した、フォルダパスと、前記ユーザ情報生成手段１１５により生成した、ユーザＩＤ、パスワードを、対応付けしたサーバ設定情報を、メモリ１１４に保存し（ステップ５：Ｓ１０５）、サーバ装置での実行が可能な形式のファイルを作成する（ステップ６：Ｓ１０６）。例えば、サーバ装置がパソコンであれば、インストールされているオペレーティングシステム（ＯＳ）に合せた自動実行形式のファイルを作成する。
【００４３】
前記設定情報生成手段１１２で生成した、サーバ設定実行ファイルは、第１通信手段１１３を用いて、メモリ１１４から送信先情報を参照し、サーバ装置へ送信される（ステップ７：Ｓ１０７）。例えば、第１通信手段は、携帯電話網を使った通信手段であり、サーバ設定情報ファイルは、メールなどの添付ファイルとして、サーバ装置宛にメールで送信される。もちろん、送信先情報は、利用者の入力により行ってもよい。
【００４４】
サーバ装置１２では、第１通信手段１２０により、サーバ設定実行ファイルを受信する（ステップ８：Ｓ１０８）。例えば、第１通信手段は、インターネット網を使った通信手段であり、端末装置から送信された添付ファイル付きメールを受信する。
【００４５】
設定実行手段１２１によってサーバ設定実行ファイルが実行される（ステップ９：Ｓ００９）と、設定情報に従って共有処理実行手段１２４が実行され、設定情報記載のサーバ装置のフォルダに対して、設定情報記載のユーザＩＤ、パスワードによりフォルダの共有設定が行われる。
【００４６】
端末装置で、共有処理実行手段１１７が実行されると、第２通信手段１１８を用いて、サーバ装置を検索する（ステップ１０：Ｓ１１０）。サーバ装置は、第２通信手段１２３により要求を受け取り、共有処理実行手段１２４により、応答を返す（ステップ１１：Ｓ１１１）。応答を受け取った端末装置の共有処理実行手段１１７は、メモリ１１４から設定情報を読み出し、記載のサーバ装置のフォルダに対してアクセスを行う（ステップ１２：Ｓ１１２）。以降、利用者は端末装置から、サーバ装置の共有フォルダに対して、自由にアクセスが可能となる。
【００４７】
よって、本実施の形態によれば、利用者がユーザＩＤ、パスワードなどを手動でサーバ装置に設定することなく、サーバ装置のフォルダ共有設定も同時に完了し、ファイルの共有を行うことが可能となる。
【００４８】
（実施の形態２）
図３は、本発明の実施の形態２に係るシステムの概略構成を示す図である。
【００４９】
端末装置２１は、実施の形態１に示した端末装置１１に対して、追加して、カレントフォルダ取得手段２１０、同期フォルダ対応付け手段２１１、を具備する。
【００５０】
撮像手段１１０は、後述のサーバ装置２２のフォルダパス表示手段１２２に表示されたフォルダパスを撮影する。
【００５１】
共有情報抽出手段１１１は、フォルダパスからテキスト情報を抽出する。
【００５２】
設定情報生成手段１１２は、サーバ装置１２の設定を行うための情報をメモリ１１４に保存する。
【００５３】
第１通信手段１１３は、サーバ装置１２へサーバ設定ファイルを送信する。
【００５４】
メモリ１１４は、各手段で生成された情報を保存する。
【００５５】
ユーザ情報生成手段１１５は、端末装置固有の情報などからユーザ情報を生成する。制御部１１６は各手段の動作を制御する。
【００５６】
共有処理実行手段１１７は、端末装置２１とサーバ装置２２間のファイルの送受信の制御を行う。
【００５７】
第２通信手段１１８により、端末装置１１、サーバ装置１２間のファイルの送受信を行う。
【００５８】
カレントフォルダ取得手段２１０は、ユーザが現在表示しているフォルダを取得する。
【００５９】
同期フォルダ対応付け手段２１１は、サーバ装置１２のフォルダパスと、端末装置２１のフォルダパスの対応付けを行う。
【００６０】
サーバ装置２２は、実施の形態１のサーバ装置１２と同一の構成を採るため、図３での構成の説明は省略する。
【００６１】
図４は、本発明の実施の形態２に係るシステムのシーケンスを示す図である。
【００６２】
利用者のサーバ装置の操作により、サーバ装置のフォルダパス表示手段１２２に、サーバ装置内の共有を許可したいフォルダのパスを表示させる（ステップ１：Ｓ２０１）。
【００６３】
利用者の端末装置の操作により、サーバ装置のフォルダと、同期したい端末装置のフォルダを表示した状態で、撮像手段１１０を起動する（ステップ２：Ｓ２０２）。
【００６４】
図５は、このときの端末装置の画面イメージの一例を示したものである。
【００６５】
端末装置の「マイピクチャ」というフォルダを、サーバ装置のフォルダと同期する場合は、「マイピクチャ」のフォルダを閲覧している状態（図５の画面表示５１）で、メニューなどからカメラを起動する（撮像手段１１０の起動）。カメラ起動後、画面撮影可能な状態（図５の画面表示５２）に遷移する。
【００６６】
カレントフォルダ取得手段２１０は、撮像手段１１０の起動をトリガとして、メモリ１１４から端末装置２１の現在のフォルダパスを取得する（ステップ３：Ｓ２０３）。
【００６７】
利用者の操作により、端末装置の撮像手段１１０によって、サーバ装置のフォルダパス表示手段１２２に表示されたフォルダパスを撮影する（ステップ４：Ｓ２０４）。例えば、サーバ装置がパソコンであれば、フォルダパスは画面上に表示される、C:\share\tmp などのテキストデータである。画面上に表示されるフォルダパスとしては、バーコードや、２次元コードといった形に変換したものであってもよい。
【００６８】
共有情報抽出手段１１１によって、前記撮像手段１１０によって撮影された画像から、フォルダパスを抽出する（ステップ５：Ｓ２０５）。
【００６９】
ユーザ情報生成手段１１５は、端末装置のメモリ１１４内から端末装置の固有情報を読み出し、これからユーザＩＤ、パスワードを生成する（ステップ６：Ｓ２０６）。例えば、端末装置が携帯電話であれば、ユーザ情報や、電話帳などに登録された、氏名、電話番号、メールアドレス、ＳＩＭカード番号、端末装置のシリアル番号などから、適当なユーザＩＤ、パスワードを生成する。もちろん、この自動生成手段を使わず、ユーザＩＤ、パスワードを利用者の入力により行ってもよい。
【００７０】
設定情報生成手段１１２では、前記共有情報抽出手段１１１で抽出した、フォルダパスと、前記ユーザ情報生成手段１１５により生成した、ユーザＩＤ，パスワードを、対応付けしたサーバ設定情報を、メモリ１１４に保存し（ステップ７：Ｓ２０７）、サーバ装置での実行が可能な形式のファイルを作成する（ステップ８：Ｓ２０８）。例えば、サーバ装置がパソコンであれば、インストールされているオペレーティングシステム（ＯＳ）に合せた自動実行形式のファイルを作成する。
【００７１】
前記設定情報生成手段１１２で生成した、サーバ設定実行ファイルは、第１の通信手段１１３を用いて、メモリ１１４から送信先情報を参照し、サーバ装置へ送信される（ステップ９：Ｓ２０９）。例えば、第１の通信手段は、携帯電話網を使った通信手段であり、サーバ設定情報ファイルは、メールなどの添付ファイルとして、サーバ装置宛にメールで送信される。もちろん、送信先情報は、利用者の入力により行ってもよいし、前記撮像手段１１０により撮影してもよい。
【００７２】
同期フォルダ対応付け手段２１１により、前記カレントフォルダ取得手段２１０により取得したカレントフォルダパスと、前記設定情報生成手段１１２によりメモリ１１４に記録された設定情報との対応付けを行い、対応付けた情報をメモリ１１４に保存する（ステップ１０：Ｓ２１０）。なお、ステップ１０：Ｓ２１０は、ステップ３：Ｓ２０３以降からステップ１３：Ｓ２１３までの間に行えばよい。
【００７３】
サーバ装置２２では、第１の通信手段１２０により、サーバ設定実行ファイルを受信する（ステップ１１：Ｓ２１１）。例えば、第１の通信手段は、インターネット網を使った通信手段であり、端末装置から送信された添付付きメールを受信する。
【００７４】
設定実行手段１２１によってサーバ設定実行ファイルが実行される（ステップ１２：Ｓ２１２）と、設定情報に従って共有処理実行手段１２４が実行され、設定情報内に記載されているサーバ装置のフォルダに対して、設定情報記載のユーザＩＤ、パスワードによりフォルダの共有設定が行われる。
【００７５】
端末装置で、共有処理実行手段１１７が実行されると、第２の通信手段１１８を用いて、サーバ装置を検索する（ステップ１３：Ｓ２１３）。サーバ装置は、第２の通信手段１２３により要求を受け取り、共有処理実行手段１２４により、応答を返す（ステップ１４：Ｓ２１４）。端末装置は応答を受けると、メモリ１１４から対応付けた設定情報を読み出し、対応付け情報に記載されているサーバ装置のフォルダと、端末装置のフォルダの、ファイル同期処理を行う（ステップ１５：Ｓ２１５）。
【００７６】
よって、本実施の形態によれば、利用者がユーザＩＤ、パスワードなどを手動でサーバ装置に設定することなく、サーバ装置へのフォルダ共有設定を併せて行い、さらにフォルダ間のファイル同期処理まで実行することが可能となる。
【産業上の利用可能性】
【００７７】
本発明は、撮像手段、通信手段を持つ端末装置に広く利用することができ、サーバ装置との間での、フォルダ共有設定、ファイル共有、ファイル同期処理に有効である。撮像手段、通信手段を持つ端末装置としては、パソコン、携帯電話端末、ＰＤＡ、オーディオ機器、カメラ、などが挙げられる。
【符号の説明】
【００７８】
１１    端末装置
１１０    撮像手段
１１１    共有情報抽出手段
１１２    設定情報生成手段
１１３    第１通信手段
１１４    メモリ
１１５    ユーザ情報生成手段
１１６    制御部
１１７    共有処理実行手段
１１８    第２通信手段
１２    サーバ装置
１２０    第１通信手段
１２１    設定実行手段
１２２    フォルダパス表示手段
１２３    第２通信手段
１２４    共有処理実行手段
１２５    制御部
２１    端末装置
２１０    同期フォルダ対応付け手段
２１１    カレントフォルダ取得手段
【図２】
2011175406.tif 000003
【図３】
2011175406.tif 000004
【図４】
2011175406.tif 000005
【図５】
2011175406.tif 000006
【図１】
2011175406.tif 000007